(57)【要約】【課題】女子トイレの個室ブース内で女性が容易に商品を購入することができ、保守管理を確実に実行することができる自動販売装置を提供する。【解決手段】自動販売装置１００は、トイレの個室ブース内の壁面Ｗ１，Ｗ２間の床面Ｆ上に配置される汚物入れ１０に着脱可能に接合される２台の自動販売ユニット２０，３０と、自動販売ユニット２０，３０を壁面Ｗ１，Ｗ２に係脱可能に固定するための固定部材４０及び固定具４１と、を備えている。固定具４１は専用工具のみによって係脱可能である。自動販売ユニット２０，３０の正面パネルには、販売中の商品を説明する説明板２１，３１と、コイン投入口２２，３２と、購入された商品を排出するためのダイヤル２３，３３と、購入商品や不良貨幣を排出するための取り出し口２４，３４が設けられている。【選択図】図１
2010039787.tif 000002
【特許請求の範囲】
【請求項１】
トイレの個室ブース内に配置される汚物入れに着脱可能に接合される少なくとも一つの自動販売ユニットと、前記自動販売ユニットをトイレブース内に係脱可能に固定する固定手段と、を備えたことを特徴とする自動販売装置。
【請求項２】
前記固定手段が専用工具のみによって係脱可能である請求項１記載の自動販売装置。
【請求項３】
前記汚物入れと前記自動販売ユニットとの間若しくは複数の前記自動販売ユニット同士の間に互いに嵌合離脱可能な凹凸形状の接合手段を設けた請求項１または２記載の自動販売装置。
【発明の詳細な説明】
【技術分野】
【０００１】
本発明は、公共施設などの女性用トイレの個室ブース内に設置される自動販売装置に関する。
【背景技術】
【０００２】
デパート、オフィスビル、飲食店などの公共施設の女性用トイレの個室ブース内において生理用品などを提供する技術として、従来、トイレ装置の機能部ケースに小物販売機を組み込んだものがある（例えば、特許文献１参照。）。この小物販売機を女性用トイレの個室ブース内に設置すれば、女性が急に生理用品が必要となったときに速やかに対応することができ、かつ、個室ブース内において他人の目を気にすることなく商品を購入することできる。また、女性用トイレの個室ブース内において、女性を対象とした様々な商品を販売するとともに、その販売関連情報を管理する技術も提案されている（例えば、特許文献２参照。）。
【０００３】
一方、女性が生理用品を必要とするケースがあることは自明であるから、その自動販売装置は個室ブース内ではなく、女性用トイレ内に設けられた洗面所近傍のような共用スペースに自動販売装置を設置すればよい、という考え方もある。しかしながら、女性は、男性に比べ、羞恥心から排泄やセックス等の下半身のトラブルに関する悩みを持ちながら他の人に相談できないことが多い。そのため商品を提供する企業も、女性の下半身のトラブルを解決し、ＱＯＬ（生活の質）を改善する用具を開発しても、女性の真のニーズを把握するためのマーケィングを店頭では行うことができない、という悩みがある。
【０００４】
具体例を挙げると、女性用トイレの個室ブース内であれば、他人の目を気にせずに購入できる商品であっても、店頭では周囲の目が気になり商品を購入することができないことから、女性のＱＯＬ（生活の質）改善に寄与する商品であっても、正確なマーケィングが施行できず、商品の改良が進まないという問題があった。
【０００５】
【特許文献１】特許第２７９２１６３号公報
【特許文献２】特開２００５−０７８１２７号公報
【発明の開示】
【発明が解決しようとする課題】
【０００６】
特許文献１に記載された小物販売機の場合、その正面のキー溝にキーを差し込んでロックを解除して表示盤を開き、本体内のケースに収納されている商品の入替、代金回収などを行う必要がある。このため、女子トイレ内に自由に出入りできる保守管理者が限定され、保守管理が適切に実施されないことがある。
【０００７】
一方、特許文献２記載の自動販売装置の場合も同様に、女子トイレという特性から、自動販売装置の扉を開いて商品の入替、代金回収を行う保守管理者が限定されるため、保守管理が適切に実施されず、必要とする販売関連情報も適切に収集されないことがある。
【０００８】
本発明が解決しようとする課題は、女子トイレの個室ブース内で女性が容易に商品を購入することができ、保守管理を確実に実行することができる自動販売装置を提供することにある。
【課題を解決するための手段】
【０００９】
本発明の自動販売装置は、トイレの個室ブース内に配置される汚物入れに着脱可能に接合される少なくとも一つの自動販売ユニットと、前記自動販売ユニットをトイレブース内に係脱可能に固定する固定手段と、を備えたことを特徴とする。
【００１０】
このような構成とすれば、トイレの個室ブース内に配置される汚物入れに接合された自動販売ユニットを利用して女性が容易に商品を購入することができる。従って、女性が人前では購入がためらわれる女性の下半身の健康用品であっても、羞恥心を持つことなく楽に購入することができる。また、女性用トイレの清掃作業員が清掃などの際に自動販売ユニットを汚物入れから離脱させ、トイレ以外の場所に運び込めば、女性以外の作業員であっても当該自動販売ユニット内の商品の補充、入替や代金回収を行うことができるので、保守管理を確実に実行することができる。
【００１１】
また、複数の自動販売ユニットを接合すれば、女性用トイレの個室ブース内において、トイレとしての使い勝手を低下させることなく、多様性な商品をトイレで販売することができる。
【００１２】
ここで、前記固定手段は専用工具のみによって係脱可能であることが望ましい。このような構成とすれば、清掃作業員のみに専用工具を持たせることにより、自動販売ユニットの盗難を防止することができる。
【００１３】
一方、前記汚物入れと前記自動販売ユニットとの間、若しくは複数の前記自動販売ユニット同士の間に、互いに嵌合離脱可能な凹凸形状の接合部を設けることもできる。このような構成とすれば、接合離脱が容易であって、比較的強固な接合構造を形成することができる。
【００１４】
なお、本発明の自動販売装置の場合、自動販売ユニットで販売される商品の製造会社や販売会社などがスポンサーとなって商品を提供するシステムを採用することもできる。このようなシステムを採用すれば、女性が人前では購入がためらわれる女性の下半身の健康用品を、羞恥心を持たせることなく楽に販売することができ、かつ、実際の販売を通して企業が女性の健康を向上させる用具のマーケティングを容易に行うための情報を得ることが可能となる。
【発明の効果】
【００１５】
本発明により、女子トイレの個室ブース内で女性が容易に商品を購入することができ、保守管理も確実に実行することができる自動販売装置を提供することができる。
【発明を実施するための最良の形態】
【００１６】
以下、図面に基づいて本発明の実施の形態について説明する。図１は本発明の実施の形態である自動販売装置を示す斜視図、図２は図１に示す自動販売装置の連結機構を示す一部省略垂直断面図である。
【００１７】
図１に示すように、本実施形態の自動販売装置１００は、トイレの個室ブース内の壁面Ｗ１，Ｗ２間の床面Ｆ上に配置される汚物入れ１０に着脱可能に接合される２台の自動販売ユニット２０，３０と、自動販売ユニット２０，３０を壁面Ｗ１，Ｗ２に係脱可能に固定するための固定部材４０及び固定具４１と、を備えている。後述するように、固定具４１は専用工具（図示せず）のみによって係脱可能である。
【００１８】
図１において、自動販売装置１００の最下部に位置する汚物入れ１０は使用済みの生理用品などを廃棄するためのものであり、女子トイレの使用者は、取っ手１１ａに手指を掛けて扉１１を開いて廃棄を実施する。自動販売ユニット２０，３０は汚物入れ１０と外形形状を略同一とするものであり、汚物入れ１０の上方に積み重ねて接合されている。自動販売ユニット２０，３０の正面パネルには、販売中の商品を説明する説明板２１，３１と、コイン投入口２２，３２と、購入された商品を排出するためのダイヤル２３，３３と、購入商品や不良貨幣を排出するための取り出し口２４，３４が設けられている。
【００１９】
自動販売ユニット２０，３０の外形を、一般的な汚物入れ１０と略同形の三角筒形状としているため、自動販売装置１００は女子トイレの個室ブースのコーナ部分に密着配置することができ、トイレとしての使い勝手に悪影響を及ぼさない。ケーシング２０ａ，３０ａの材質は限定しないが、清潔感のある明白色の金属材あるいはステンレス鋼材などが好適である。自動販売装置１００は、固定部材４０及び固定具４１を用いて、女性用トイレの個室ブースの壁面Ｗ１，Ｗ２に着脱可能に固定されている。自動販売装置１００が盗難にあったり、破壊されたりするのを防止するため、固定具４１は専用工具（図示せず）のみによって着脱可能な構成としている。
【００２０】
一般的な自動販売装置においては、その保守管理は専門知識を持ったエンジニアによって行われているが、本実施形態の自動販売装置１００の設置場所は女子トイレの個室ブース内であることから、その保守管理作業はトイレの清掃作業者等が実施することを想定している。従って、トイレの清掃作業者が専用工具（図示せず）を用いて固定具４１及び固定部材４０を取り外して自動販売ユニット２０，３０を回収すれば、商品補充、代金回収及び情報収集などは、清掃作業者が所属する所定の場所で行ったり、商品の提供先である企業に返送して行ったりすることができる。
【００２１】
即ち、トイレの清掃作業者が清掃などの際に専用工具を用いて固定具４１及び固定部材４０を取り外して自動販売ユニット２０，３０を汚物入れ１０から離脱させ、女性用トイレ以外の場所に運び込めば、女性以外の作業員であっても当該自動販売ユニット２０，３０内の商品の補充、代金回収及び情報収集などを行うことができる。従って、自動販売装置１００を構成する自動販売ユニット２０，３０の保守管理を確実に実行することができる。また、自動販売ユニット２０，３０上面には、手指を引っ掛けることのできる凹形状の取っ手３５がそれぞれ設けられているため、自動販売ユニット３０を取り外したり、運んだりする際に便利である。
【００２２】
なお、本実施形態においては、図１に示すように、自動販売ユニット３０に設けられた固定部材４０を、固定具４１を用いて壁面Ｗ１，Ｗ２に固定することによって自動販売装置１００全体を固定しているが、自動販売ユニット２０，３０ごとに固定部材４０及び固定具４１を設けて壁面Ｗ１，Ｗ２に固定することもできる。
【００２３】
ところで、女性は、男性に比べ、羞恥心から排泄やセックス等の下半身のトラブルに関する悩みを持ちながら他の人に相談できないことが多い。そのため、企業も、女性の下半身のトラブルを解決し、ＱＯＬ（生活の質）を改善する用具を開発しても、必要な人に提供できなかったり、その改良に向けた女性の真のニーズを把握するためのマーケィングを行ったりすることができないという問題があった。しかしながら、本実施形態の自動販売装置１００は女性用トイレの個室ブースに設置されるため、女性は他人の視線を感じることなく、女性が人前での購入がためらわれる女性の下半身の健康用品を、羞恥心を持つことなく楽に購入することができる。従って、企業が女性の健康を向上させるために開発した各種用具のマーケティングを容易に行うこともできる。
【００２４】
図１に示すように、自動販売装置１００においては、複数の自動販売ユニット２０，３０が上下に連接配置されているため、複数種類の商品を販売することができる。また、自動販売ユニット２０，３０を他の自動販売ユニットに交換したり、他の自動販売ユニットを追加したりすることもできるため、多種多様な商品を提供することができる。
【００２５】
また、図２に示すように、汚物入れ１０と自動販売ユニット２０との間の接合手段として、汚物入れ１０のケーシング１０ａ上面に凸状接合部１０ｍを設け、自動販売ユニット２０のケーシング２０ａ下面に凹状接合部２０ｆを設けている。また、自動販売ユニット２０，３０同士の接合手段として、自動販売ユニット２０のケーシング２０ａ上面に凸状接合部２０ｍを設け、自動販売ユニット３０のケーシング３０ａ下面に凹状接合部３０ｆを設けている。凸状接合部１０ｍと凹状接合部２０ｆは互いに嵌合離脱可能であり、凸状接合部２０ｍと凹状接合部３０ｆとは互いに嵌合離脱可能である。
【００２６】
このような接合手段を設けたことにより、接合離脱が容易であって比較的強固な接合構造を形成することができる。なお、自動販売ユニット３０のケーシング３０ａ上面にも凸状接合部３０ｍを設けているため、自動販売ユニット２０，３０の配置を上下に入れ替えたり、自動販売ユニット３０の上に他の自動販売ユニット（図示せず）を接合したりすることもできる。
【００２７】
図３は図１に示す自動販売装置１００で販売される商品の一例を示す断面図である。自動販売装置１００の自動販売ユニット２０，３０においては、球形状をした合成樹脂製の商品ケース７０内に商品７１及び説明書７２が内封された状態で販売される。商品ケース７０はカプセル玩具の販売ケースを流用することにより、自動販売装置１００の動作信頼性の確保及びコスト低減を図っているが、この実施形態に限定されるものではない。説明書７２には商品７１の使い方が記載されているが、関連商品の説明を記載することもできる。
【００２８】
また、説明書７２自体を葉書形式とすることによって購入者とのコミュニケーション手段としたり、販売元と連絡を取るためのＵＲＬやＱＲコードを説明書７２に明示したりすることもできる。このようにすれば、商品７１を実際に使ってみたときの反応をタイムリーに知ることが可能となるため、マーケティングに活用することができる。
【図面の簡単な説明】
【００２９】
【図１】本発明の実施の形態である自動販売装置を示す斜視図である。
【図２】図１示す自動販売装置の連結機構を示す一部省略垂直断面図である。
【図３】図１に示す自動販売装置で販売される商品の一例を示す断面図である。
【符号の説明】
【００３０】
１０  汚物入れ
１１  扉
１１ａ，３５  取っ手
２０，３０  自動販売ユニット
１０ａ，２０ａ，３０ａ  ケーシング
１０ｍ，２０ｍ，３０ｍ  凸状接合部
２０ｆ，３０ｆ  凹状接合部
２１，３１  説明板
２２，３２  コイン投入口
２３，３３  ダイヤル
２４，３４  取り出し口
４０  固定部材
４１  固定具
７０  商品ケース
７１  商品
７２  説明書
１００  自動販売装置
Ｆ  床面
Ｗ１，Ｗ２  壁面
【図１】
2010039787.tif 000003
【図２】
2010039787.tif 000004
【図３】
2010039787.tif 000005